(57)【要約】【課題】  複数の無線伝送装置と有線伝送装置からなる映像伝送システムにおいて、受信装置における自動入力切り替えを可能とすること。【解決手段】  無線伝送装置が無線インタフェースから物理アドレスを含むメッセージを受信したとき、自身の物理アドレスと受信したメッセージに含まれる物理アドレスから生成した物理アドレスを含むメッセージを有線インタフェースに送信する。このメッセージを受信した伝送装置は、メッセージに含まれる物理アドレスからどの無線伝送装置から受信したメッセージであるか正しく認識することが可能となる。【選択図】  図１
2008153827.tif 000002
【特許請求の範囲】
【請求項１】
無線を用いてデータの送受信を行う無線伝送手段と、
有線装置識別子を含むメッセージを無線伝送手段から受信したとき、受信したメッセージに含まれる有線装置識別子と自身の有線装置識別子から新しい有線装置識別子を生成する上位レイヤ処理手段と、
上記生成した有線装置識別子を含むメッセージを有線により送信する有線伝送手段とを
具備することを特徴とする無線伝送装置。
【請求項２】
上記有線装置識別子生成手段は、受信したメッセージに含まれる有線装置識別子と自身の有線装置識別子とを連結した有線識別子を含む新しい有線装置識別子を生成することを特徴とする請求項１記載の無線伝送装置。
【請求項３】
上記無線伝送手段は、ミリ波を用いることを特徴とする請求項１乃至請求項２記載の無線伝送装置。
【請求項４】
上記有線伝送手段は、ＨＤＭＩを用いることを特徴とする請求項１乃至請求項３記載の無線伝送装置。
【請求項５】
上記有線装置識別子は、ＨＤＭＩで用いられる物理アドレスであることを特徴とする請求項４記載の無線伝送装置。
【請求項６】
上記有線装置識別子生成手段は、自身の物理アドレスの上位４ビットと受信したメッセージに含まれる物理アドレスの上位１２ビットを連結した新しい物理アドレスを生成することを特徴とする請求項５記載の無線伝送装置。
【請求項７】
上記有線装置識別子生成手段は、自身の物理アドレスの上位８ビットと受信したメッセージに含まれる物理アドレスの上位８ビットを連結した新しい物理アドレスを生成することを特徴とする請求項５記載の無線伝送装置。
【請求項８】
上記有線識別子生成手段は、自身の物理アドレスが０．０．０．０の場合は、受信したメッセージに含まれる物理アドレスをそのまま含む新しい物理アドレスとすることを特徴とする請求項５記載の無線伝送装置。
【請求項９】
有線インタフェース及び無線インタフェースを具備する無線伝送装置の無線伝送方法において、
有線装置識別子を含むメッセージを無線インタフェースから受信したとき、受信したメッセージに含まれる有線装置識別子と自身の有線装置識別子から生成した有線装置識別子を含むメッセージを生成し、有線インタフェースから送信することを特徴とする無線伝送方法。
【請求項１０】
受信したメッセージに含まれる有線装置識別子と自身の有線装置識別子とを連結した有線識別子を含むメッセージを生成することを特徴とする請求項９記載の無線伝送方法。
【請求項１１】
上記無線インタフェースは、ミリ波を用いることを特徴とする請求項９乃至請求項１０記載の無線伝送方法。
【請求項１２】
上記有線インタフェースは、ＨＤＭＩを用いることを特徴とする請求項９乃至請求項１１記載の無線伝送方法。
【請求項１３】
上記有線装置識別子は、ＨＤＭＩで用いられる物理アドレスであることを特徴とする請求項１２記載の無線伝送方法。
【請求項１４】
自身の物理アドレスの上位４ビットと受信したメッセージに含まれる物理アドレスの上位１２ビットを連結した物理アドレスを含むメッセージを生成することを特徴とする請求項１３記載の無線伝送方法。
【請求項１５】
自身の物理アドレスの上位８ビットと受信したメッセージに含まれる物理アドレスの上位８ビットを連結した物理アドレスを含むメッセージを生成することを特徴とする請求項１３記載の無線伝送方法。
【請求項１６】
自身の物理アドレスが０．０．０．０の場合は、受信したメッセージに含まれる物理アドレスをそのまま含むメッセージを生成することを特徴とする請求項１３記載の無線伝送方法。
【発明の詳細な説明】
【技術分野】
【０００１】
本発明は、複数の伝送装置間で映像及び音声データを伝送するシステムにおいて、伝送装置間に無線が介する場合においても有線ネットワークで使用されるメッセージを用いて入力切り換えなどの動作を有線により接続されているときと同様に行うことを可能としたメッセージ送信方法及びそれを用いた無線伝送装置に関するものである。
【背景技術】
【０００２】
複数の伝送装置間で映像及び音声データを伝送するシステムとして、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格を採用したシステムが普及している（非特許文献１参照）。ＨＤＭＩ規格においては、各伝送装置がシステムのトポロジを認識するために物理アドレスが用いられる。ＨＤＭＩ規格における物理アドレスは、４ビット（１６進数表記では、０〜Ｆ）を１つのブロックとし、４つのブロックで構成される。すなわち、物理アドレスは、１６ビットで表され、０．０．０．０からＦ．Ｆ．Ｆ．Ｆまでの値をとる。例えば、トポロジのルートとなる装置には物理アドレスとして、０．０．０．０が割り当てられる。また、ルートの装置が複数のＨＤＭＩ入力端子を持つ場合、各ＨＤＭＩ端子に関連付けられ、ルートの装置がサポートする映像フォーマット情報などを記憶するＥＤＩＤ（Ｅｘｔｅｎｄｅｄ  Ｄｉｓｐｌａｙ  Ｉｄｅｎｔｉｆｉｃａｔｉｏｎ  Ｄａｔａ）と呼ばれる記憶領域に、そのＨＤＭＩ端子に接続された伝送装置に割り当てる物理アドレスが格納される。この物理アドレスは、ルートの装置の物理アドレスとＨＤＭＩ端子の番号から生成される。
【０００３】
図１２にＨＤＭＩ規格における物理アドレスの割り当て方法を示す。
【０００４】
図１２に示すように、トポロジのルートとなるＴＶには、物理アドレスとして「０．０．０．０」が割り当てられる。図に示すように、ＴＶは２つのＨＤＭＩ端子を持ち、それぞれ１番、２番と番号が割り当てられているとすると、番号が１番のＨＤＭＩ端子（端子１）に関連付けられたＥＤＩＤには「１．０．０．０」が格納され、端子１に接続された機器には、物理アドレス「１．０．０．０」が割り当てられる。また、番号が２番のＨＤＭＩ端子（端子２）に関連付けられたＥＤＩＤには「２．０．０．０」が格納され、端子２に接続された機器には、物理アドレス「２．０．０．０」が割り当てられる。
【０００５】
また、図１２に示すように、ＴＶのＨＤＭＩ入力端子１に接続された機器がＡＶアンプである場合、ＡＶアンプには物理アドレス「１．０．０．０」が割り当てられる。さらに、ＡＶアンプのＨＤＭＩ入力端子にＤＶＤなどが接続された場合、例えば、ＡＶアンプのＨＤＭＩ入力端子２にＤＶＤが接続された場合、ＨＤＭＩ入力端子２に関連付けられたＥＤＩＤには、物理アドレス「１．２．０．０」が格納される。すなわち、ＡＶアンプのＨＤＭＩ入力端子２番に接続されたＤＶＤには物理アドレス「１．２．０．０」が割り当てられる。このようにＨＤＭＩにおいては、ＴＶをルートとしたツリー構造となっており、５階層まで階層的に物理アドレスが割り当てられる。
【０００６】
また、特許文献１には機器の入力切り換えを行うために、物理アドレスを用いて装置を識別する方法が記載されている。この方法では、ディスプレイ装置が自身に接続されている装置からその装置のベンダーＩＤ、機器アドレス、物理アドレスを取得し、メモリ部に記憶する。ディスプレイ装置は、リモコン装置からリモコンコードを受信したとき、メーカーコード及び機器コードを抽出し、それに対応するベンダーＩＤ及び機器アドレスをメモリ部から検索し、検索されたベンダーＩＤ及び機器アドレスに対応付けられている物理アドレスに接続されている装置に入力を切替える。
【特許文献１】特開２００４−２０８２９０号公報（第２１頁、図１７）
【非特許文献１】High-Definition Multimedia Interface Specification, Version1.1, HDMI Licensing, LLC, California in U.S.A., May 20,2004
【発明の開示】
【発明が解決しようとする課題】
【０００７】
しかしながら、無線を用いたシステムにおいては、トポロジがツリー構造でないため、物理アドレスを一意に割り当てる場合には、割り当てることができないという課題を有していた。例えば、ＴＶが２台存在する場合、それぞれのＴＶから割り当てられる物理アドレスが異なる可能性があるため、有線を用いたシステムと同様に、システム内で物理アドレスを唯一に割り当てることができない。このように物理アドレスが唯一に割り当てることができないため、物理アドレスを用いて入力切り替えを行うことができないという課題を有していた。
【０００８】
本発明は、前記従来の課題を解決するもので、無線を介するシステムにおいても物理アドレスを重複なく割り当てることを目的とする。
【課題を解決するための手段】
【０００９】
前記従来の課題を解決するために、第１の発明に係る無線伝送方法は、有線インタフェース及び無線インタフェースを具備する無線伝送装置の無線伝送方法において、有線装置識別子を含むメッセージを無線インタフェースから受信したとき、受信したメッセージに含まれる有線装置識別子と自身の有線装置識別子から生成した有線装置識別子を含むメッセージを生成し、有線インタフェースから送信する。
【００１０】
またさらに、受信したメッセージに含まれる有線装置識別子と自身の有線装置識別子とを連結した有線識別子を含むメッセージを生成する。
【００１１】
またさらに、上記無線インタフェースは、ミリ波を用いる。
【００１２】
またさらに、上記有線インタフェースは、ＨＤＭＩを用いる。
【００１３】
またさらに、上記有線装置識別子は、ＨＤＭＩで用いられる物理アドレスである。
【００１４】
またさらに、自身の物理アドレスの上位４ビットと受信したメッセージに含まれる物理アドレスの上位１２ビットを連結した物理アドレスを含むメッセージを生成する。
【００１５】
またさらに、自身の物理アドレスの上位８ビットと受信したメッセージに含まれる物理アドレスの上位８ビットを連結した物理アドレスを含むメッセージを生成する。
【００１６】
またさらに、自身の物理アドレスが０．０．０．０の場合は、受信したメッセージに含まれる物理アドレスをそのまま含むメッセージを生成する。
【００１７】
本構成によって、装置間に無線が介在する場合においても、伝送装置間で物理アドレスを含むＣＥＣメッセージを伝送することが可能となり、受信側の伝送装置でトポロジどおりに割り当てられた物理アドレスを認識できるため、自動入力切り替えを行うことができる。
【発明の効果】
【００１８】
本発明に係る無線伝送方法及び装置によれば、無線伝送装置間で物理アドレスを含むＣＥＣメッセージを伝送することが可能となり、自動入力切り替えが可能となるなどユーザの利便性の向上を図ることができる。
【発明を実施するための最良の形態】
【００１９】
以下、本発明における実施の形態１について図面を参照して説明する。
（実施の形態１）
図１は、本発明における実施の形態１である無線伝送システムのブロック図である。無線伝送システムは、無線伝送装置１００、１０１、１０２と、伝送装置１０４、１０６、１０７を具備する。なお、本実施の形態においては、無線伝送装置３台と伝送装置３台の場合について説明するが、本発明は、無線伝送装置１００、１０１、１０２、伝送装置１０３、１０４、１０５と同様の構成を有する無線伝送装置及び伝送装置を複数備えている場合においても適用可能なものである。
【００２０】
図１において、無線伝送装置１００は無線インタフェース及び有線インタフェースを具備し、無線インタフェースから映像データ及び音声データを受信し、受信した映像データ及び音声データを有線インタフェースから送信する無線伝送装置、無線伝送装置１０２は無線インタフェースを具備し、無線インタフェースから映像データ及び音声データを受信する無線伝送装置である。
【００２１】
無線伝送装置１０１は有線インタフェース及び無線インタフェースを具備し、有線インタフェースにおいて受信した映像データ及び音声データを無線インタフェースから送信する無線伝送装置である。無線伝送装置１０１は無線伝送装置１００、無線伝送装置１０２に映像データ及び音声データを送信する。無線伝送装置１０１から無線伝送装置１００及び無線伝送装置１０２への映像及び音声データの伝送は、異なる無線周波数帯を用いて伝送される、もしくは異なる時間に伝送される。
【００２２】
伝送装置１０４、伝送装置１０７は有線インタフェースを具備し、有線インタフェースから映像データ及び音声データを送信する伝送装置である。伝送装置１０４は無線伝送装置１０１と、伝送装置１０７は有線伝送装置１０６と有線インタフェースを介して接続されている。伝送装置１０６は有線インタフェースを具備し、有線インタフェースから映像データ及び音声データを受信する伝送装置である。伝送装置１０６は無線伝送装置１００、有線伝送装置１０７と有線インタフェースで接続されている。例えば、有線インタフェースとしては、ＨＤＭＩを用いる。
【００２３】
図２は、本発明の実施形態に係る無線伝送装置１０１の構成を示す図である。
【００２４】
無線伝送手段２０１は電波の送受信及び変復調などの無線伝送処理を行う手段である。
【００２５】
無線伝送手段２０１は、アンテナ、高周波回路、ベースバンド処理回路などを含むが、どのような無線伝送方式を用いてもよく、本実施形態では説明を省略する。例えば、高速データ伝送にはミリ波帯の電波を用いた無線伝送方式を利用することが考えられる。
【００２６】
媒体アクセス制御手段２０２は無線伝送におけるアクセス制御を行う手段であり、無線周波数帯域もしくは時間を予約し、予約した無線周波数帯域もしくは時間内に映像音声データを送受信する媒体アクセス制御を行う。データ処理手段２０３は映像データや音声データの変換処理などを行う手段であり、上位レイヤ処理手段２０４は上位レイヤにおける処理を行う手段であり、有線装置識別子生成手段２０５は有線伝送手段を用いてデータ伝送を行うときに用いる装置識別子を割り当てる手段である。媒体アクセス制御手段２０２．データ処理手段２０３、上位レイヤ処理手段２０４、有線装置識別子生成手段２０５は、ソフトウェアで実現されても、ハードウェア（専用回路）で実現されてもよい。ソフトウェアで実現される場合は、ＲＯＭ等の記録媒体に記録されている。
【００２７】
有線装置識別子記憶手段２０６は有線装置識別子生成手段２０５によって生成された装置識別子を記憶する手段であり、不揮発性の記録媒体が好適であるが、揮発性の記録媒体でも実現可能である。
【００２８】
有線伝送手段２０７は有線伝送処理を行う手段である。有線伝送手段２０７は、映像信号及び音声信号の符号化、復号化、多重化などの処理を行う。例えば、有線伝送手段２０７としては、ＨＤＭＩが用いられる。
【００２９】
無線伝送装置１０１としては、有線伝送と無線伝送の相互変換を行う変換アダプタや、無線機能を持つアンプなどがある。
【００３０】
図３は、本発明の実施の形態１に係る無線伝送装置１００の構成を示す図である。
【００３１】
無線伝送手段３０１は電波の送受信及び変復調などの無線伝送処理を行う手段である。無線伝送手段３０１は、アンテナ、高周波回路、ベースバンド処理回路などを含むが、どのような無線伝送方式を用いてもよく、本実施形態では説明を省略する。例えば、高速データ伝送にはミリ波帯の電波を用いた無線伝送方式を利用することが考えられる。
【００３２】
媒体アクセス制御手段３０２は無線伝送におけるアクセス制御を行う手段であり、無線周波数帯域もしくは時間を予約し、予約した無線周波数帯域もしくは時間内に映像音声データを送受信する媒体アクセス制御を行う。データ処理手段３０３は映像データや音声データの変換処理などを行う手段であり、上位レイヤ処理手段３０４は上位レイヤにおける処理を行う手段である。媒体アクセス制御手段３０２、データ処理手段３０３、上位レイヤ処理手段３０４は、ソフトウェアで実現されても、ハードウェア（専用回路）で実現されてもよい。ソフトウェアで実現される場合は、ＲＯＭ等の記録媒体に記録されている。
【００３３】
有線伝送手段３０５は有線伝送処理を行う手段である。有線伝送手段３０５は、映像信号及び音声信号の符号化、復号化、多重化などの処理を行う。例えば、有線伝送手段３０５としては、ＨＤＭＩが用いられる。
【００３４】
無線伝送装置１００としては、有線伝送と無線伝送の相互変換を行う変換アダプタがある。
【００３５】
図４は、本発明の第１の実施形態に係る無線伝送装置１０２の構成を示す図である。
【００３６】
無線伝送手段４０１は電波の送受信及び変復調などの無線伝送処理を行う手段である。無線伝送手段４０１は、アンテナ、高周波回路、ベースバンド処理回路などを含むが、どのような無線伝送方式を用いてもよく、本実施形態では説明を省略する。例えば、高速データ伝送にはミリ波帯の電波を用いた無線伝送方式を利用することが考えられる。
【００３７】
媒体アクセス制御手段４０２は無線伝送におけるアクセス制御を行う手段であり、無線周波数帯域もしくは時間を予約し、予約した無線周波数帯域もしくは時間内に映像音声データを送受信する媒体アクセス制御を行う。データ処理手段４０３は映像データや音声データの変換処理などを行う手段であり、上位レイヤ処理手段４０４は上位レイヤにおける処理を行う手段であり、映像表示手段４０５は映像を表示する手段であり、音声出力手段４０６は音声を出力する手段である。媒体アクセス制御手段４０２、データ処理手段４０３、上位レイヤ処理手段４０４、映像表示手段４０５、音声出力手段４０６は、ソフトウェアで実現されても、ハードウェア（専用回路）で実現されてもよい。ソフトウェアで実現される場合は、ＲＯＭ等の記録媒体に記録されている。また、映像表示手段４０５、音声出力手段４０６は、無線伝送手段自身に表示出力しても、外部にデータを出力して、映像表示、音声出力させてもよい。
【００３８】
無線伝送装置１０２としては、無線機能を備えたＴＶやパーソナルコンピュータ等の、画像、音声が出力可能な装置である。なお、無線伝送装置１００は、映像表示手段、音声表示手段の片方のみを備えた装置でもよく、映像表示機能のみを持つモニター、プロジェクターや、音声出力機能のみを持つスピーカなどでもよい。
【００３９】
図５は、本発明の第１の実施形態に係る伝送装置１０６の構成を示す図である。図５において、有線伝送手段５０１は有線伝送処理を行う手段であり、データ処理手段５０２は映像データや音声データの変換処理などを行う手段であり、上位レイヤ処理手段５０３は上位レイヤにおける処理を行う手段であり、映像表示手段５０４は映像を表示する手段であり、音声出力手段５０５は音声を出力する手段である。
【００４０】
有線伝送手段５０１は、映像信号及び音声信号の符号化、復号化、多重化などの処理を行う。例えば、有線伝送手段５０１としては、ＨＤＭＩが用いられる。
【００４１】
データ処理手段５０２、上位レイヤ処理手段５０３、映像表示手段５０４、音声出力手段５０５は、ソフトウェアで実現されても、ハードウェア（専用回路）で実現されてもよい。ソフトウェアで実現される場合は、ＲＯＭ等の記録媒体に記録されている。また、映像表示手段５０４、音声出力手段５０５は、無線伝送手段自身に表示出力しても、外部にデータを出力して、映像表示、音声出力させてもよい。
【００４２】
伝送装置１０６としては、ＴＶやパーソナルコンピュータ、アンプなどがある。
【００４３】
図６は、本発明の第１の実施形態に係る伝送装置１０４及び伝送装置１０７の構成を示す図である。図６において、有線伝送手段６０１は有線伝送処理を行う手段であり、データ処理手段６０２は映像データや音声データの変換処理などを行う手段であり、上位レイヤ処理手段６０３は上位レイヤにおける処理を行う手段であり、映像音声再生手段６０４は映像データ及び音声データを出力する手段である。なお、映像音声再生手段６０４は、映像のみ、音声のみを再生する手段であっても構わない。また、有線伝送手段６０１は、映像信号、音声信号及び制御信号の符号化、復号化、多重化などの処理を行う。例えば、有線伝送手段６０１としては、ＨＤＭＩが用いられる。
【００４４】
上位レイヤ処理手段６０３、データ処理手段６０２、映像音声再生手段６０４は、ソフトウェアで実現されても、ハードウェア（専用回路）で実現されてもよい。ソフトウェアで実現される場合は、ＲＯＭ等の記録媒体に記録されている。また、伝送装置１０４、伝送装置１０７は、ＤＶＤ、ＳＴＢ、ビデオプレーヤ等の画像、音声が出力可能な装置であり、音声のみを再生するＣＤプレーヤ、ＭＤプレーヤ、ＭＰ３（ＭＰＥＧ１  Ｌａｙｅｒ−３  Ａｕｄｉｏ）プレーヤ等でもよい。
【００４５】
図１において、無線伝送装置１０１から無線伝送装置１００及び無線伝送装置１０２に対して映像データ及び音声データ伝送が可能である。
【００４６】
本発明に係る実施形態１における処理について、以下、図面を用いて説明する。
【００４７】
図７は、本発明に係る無線伝送装置１０１の媒体アクセス制御手段２０２における無線装置識別子取得シーケンスの一例を示す図である。無線伝送装置１０１は、無線ネットワークに加入するとき、管理装置に対して、認証要求メッセージを送信する（ステップＳ７０１）。管理装置は、図１に図示していないが、無線ネットワーク全体の無線伝送装置の加入、離脱を管理する装置である。管理装置は、認証要求メッセージを受信したとき、無線ネットワークで用いる無線装置識別子を含む認証応答メッセージを認証要求メッセージの送信元の無線伝送装置１０１に送信する（Ｓ７０２）。ここで、管理装置は無線装置識別子の使用状況を管理しており、無線装置識別子が無線ネットワーク内で唯一の値をとるように各無線伝送装置に割り当てる。無線伝送装置１０１は管理装置から認証応答メッセージを受信したとき、認証応答メッセージに含まれる無線装置識別子を自身の装置識別子として用いる。無線伝送装置１００、１０２においても同様にして無線装置識別子を取得する。また、有線装置識別子が無線伝送装置１０１及び１０２に割り当てられる。
【００４８】
以下、本実施の形態では、図８に示すように、有線装置識別子が無線伝送装置１００、１０１及び１０２に重複なく割り当てられたものとして説明する。また、本実施の形態においては、有線伝送手段は、ＨＤＭＩであり、有線装置識別子として、１フィールド４ビットの４フィールドで構成された物理アドレスを用いるとする。
【００４９】
図８において、無線伝送装置１００、１０１、１０２の上段は管理装置から割り当てられた無線装置識別子、下段は物理アドレスとする。図８に示すように、本実施の形態においては、無線伝送装置１００には無線装置識別子０と物理アドレス「１．１．０．０」、無線伝送装置１０１には無線装置識別子１０と物理アドレス「９．Ａ．０．０」、無線伝送装置１０２には無線装置識別子１１と物理アドレス「０．０．０．０」、伝送装置１０４には物理アドレス「９．Ａ．１．０」、伝送装置１０６には物理アドレス「１．０．０．０」、伝送装置１０７には物理アドレス「１．２．０．０」が割り当てられ、各自自身の物理アドレスを有線装置識別子記憶手段または、内部の記憶装置（図示せず）に格納している。図８に示すように、
また、無線伝送装置１００、１０１、１０２は、自身に割り当てられた無線装置識別子及び有線装置識別子をそれぞれメッセージに含めてブロードキャストすることにより、他の無線伝送装置に自身の無線装置識別子及び有線装置識別子を通知する。従って、各無線伝送装置は、自身及び他の無線伝送装置の無線装置識別子及び有線装置識別子を把握している。
【００５０】
図９に無線伝送装置１００が自身に接続されている装置を管理するためのポート番号と有線装置識別子の対応表を示す。無線伝送装置１００は有線伝送手段３０５から受信したメッセージに含まれる有線装置識別子より、受信したメッセージがどのポートに接続された伝送装置から送信されたメッセージかを判定することができる。
【００５１】
図１０に無線伝送装置１００、１０１、１０２が内部に記憶しているシステム内の無線伝送装置の無線装置識別子と物理アドレスの対応表を示す。各無線伝送装置は、図１０の対応表より受信したメッセージを送信してきた無線伝送装置を特定することができる。
【００５２】
無線伝送装置１００が物理アドレスを含むメッセージを受信したときの上位レイヤ処理手段３０４の処理について述べる。図１１は、上位レイヤ処理手段３０４における処理の一例を示すフローチャートである。
【００５３】
本実施の形態では、伝送装置１０４から物理アドレス「９．Ａ．１．０」を含むメッセージが送信された場合について説明する。
【００５４】
伝送装置１０４は有線装置識別子記憶手段６０５に記憶している自身に割り当てられた有線装置識別子「９．Ａ．１．０」を含むメッセージを、有線伝送手段６０１を介して無線伝送装置１０１に出力する。無線伝送装置１０１は伝送装置１０４から送信されたメッセージを、有線伝送手段２０７、上位レイヤ処理手段２０４を介して受信する。その後、無線伝送装置１０１は受信した物理アドレス「９．Ａ．１．０」を含むメッセージを媒体アクセス制御手段２０２、無線伝送手段２０１を介して送信する。
【００５５】
無線伝送装置１００は無線伝送手段３０１を介して、物理アドレス「９．Ａ．１．０」を含むメッセージを受信したとき、媒体アクセス制御手段３０２を介して、上位レイヤ処理手段３０４に受信したメッセージを渡す。上位レイヤ処理手段３０４は媒体アクセス制御手段３０２からメッセージ受信通知を検出したとき（ステップＳ９０１）、そのメッセージに物理アドレスが含まれているか否かを確認する（ステップＳ９０２）。
【００５６】
上位レイヤ処理手段３０４は、受信したメッセージに物理アドレスが含まれている場合は、自身の物理アドレスと受信したメッセージに含まれる物理アドレスとを連結した物理アドレス生成し（ステップＳ９０３）、生成した物理アドレスを含むメッセージを生成する（ステップＳ９０４）。本実施の形態では、無線伝送装置１００の物理アドレスが「１．１．０．０」であり、受信したメッセージに含まれる物理アドレスが「９．Ａ．１．０」であることから、自身の物理アドレスの最初のフィールドにセットされている値「１」と受信したメッセージに含まれる最初のフィールドから３番目のフィールドにセットされている値「９．Ａ．１」が連結され、「１．９．Ａ．１」が生成される。なお、この連結方法は一例であり、自身の物理アドレスの値及び受信したメッセージに含まれる物理アドレスが異なっても同様の方法で物理アドレスを生成する。
【００５７】
ここで、無線伝送装置１００の物理アドレスが上位８ビットを使用している場合、上位８ビット以降に受信したメッセージに含まれる物理アドレスを連結する。本実施の携帯では、無線伝送装置１００の物理アドレスは、「１．１．０．０」であることから、受信したメッセージに含まれる物理アドレスが「９．Ａ．０．０」とした場合、その上位８ビット「１．１」に受信したメッセージに含まれる物理アドレスの上位８ビット「９．Ａ」を連結した物理アドレス「１．１．９．Ａ」を生成する。
【００５８】
上位レイヤ処理手段３０４は、生成した物理アドレスを含むメッセージを送信することを指示するメッセージ送信指示を有線伝送手段３０５に出力する（ステップＳ９０５）。これにより伝送装置１０６に新しく生成した物理アドレスを含むメッセージが送信される。一方、メッセージに物理アドレスが含まれていない場合は、そのまま、メッセージを送信することを指示するメッセージ送信指示を有線伝送手段３０５に出力する。
【００５９】
物理アドレス「１．９．Ａ．１」を含むメッセージを受信した伝送装置１０６は、そのメッセージが無線伝送装置１００から送信されたことを、図９の対応表を参照することにより知ることが可能となる。すなわち、メッセージがＨＤＭＩで利用されるＡｃｔｉｖｅ  Ｓｏｕｒｃｅメッセージである場合は、そのメッセージを受信することにより、例えば、入力が伝送装置１０７に接続されている端子に接続されていた場合に、入力を無線伝送装置１００が接続されている端子に切替えるなどの入力切り替えを実施することが可能となる。この時、無線伝送装置１００は図１０の対応表より、無線伝送装置１０１からデータが送信されたことが分かるので、無線伝送装置１００からのデータを受信できるように入力を切り替える。
【００６０】
また、伝送装置１０６は物理アドレスが「１．２．０．０」を含むメッセージを受信した場合には、受信したメッセージが伝送装置１０７から送信されたことを図９の対応表より知ることができる。この場合は、入力を伝送装置１０７が接続されている端子に接続する。
【００６１】
これらの動作により、伝送装置１０６は無線伝送装置１０１に接続された伝送装置１０４からのデータと、自身と有線接続されている伝送装置１０７からのデータを、装置を混同することなく受信することができる。
【００６２】
また、無線伝送装置１０２が同様のメッセージを受信したときは、自身の物理アドレスが「０．０．０．０」であるので、上位レイヤ処理手段４０４は受信したメッセージ内の物理アドレスをそのまま処理する。
【００６３】
このように、本発明の実施の形態によれば、無線伝送装置と有線伝送装置が混在した無線伝送システムにおいて、各無線伝送装置、各有線伝送装置に唯一の有線装置識別子を割り当てることができる。
【００６４】
なお、本発明においては、有線装置識別子として、１フィールドが４ビットで、４つのフィールドで構成されるＨＤＭＩの物理アドレスを用いたが、これに限定するものではない。
【００６５】
また、本発明においては、無線伝送装置１０１には１台の伝送装置が接続されているが、２台以上の伝送装置が接続されていても、同様の方法で物理アドレスを生成できる。また、伝送装置１０６には１台の無線伝送装置と１台の有線伝送装置が接続されているが、複数台の無線伝送装置及び有線伝送装置が接続されていても、図９の対応表を用いることにより、入力切り替えが可能となる。
【産業上の利用可能性】
【００６６】
本発明に係る無線接続方法及び装置は、無線を用いて装置間の接続を自動的に行うことを可能とする効果を有し、装置間で映像及び音声伝送を行う無線伝送装置等として有用である。
【図面の簡単な説明】
【００６７】
【図１】本発明における無線伝送システムの構成を示す図
【図２】本発明の実施の形態１に係る無線伝送装置１０１の構成を示すブロック図
【図３】本発明の実施の形態１に係る無線伝送装置１００の構成を示すブロック図
【図４】本発明の実施の形態１に係る無線伝送装置１０２の構成を示すブロック図
【図５】本発明の実施の形態１に係る伝送装置１０６の構成を示すブロック図
【図６】本発明の実施の形態１に係る伝送装置１０４及び１０７の構成を示すブロック図
【図７】本発明の実施の形態１に係る無線伝送装置間のシーケンスを示す図
【図８】本発明の実施の形態１における無線装置識別子、物理アドレスの割り当ての一例を示す図
【図９】伝送装置１０６が管理するポート番号と有線装置識別子の対応表を示す図
【図１０】無線伝送装置が管理する無線装置識別子と物理アドレスの対応表を示す図
【図１１】本発明の実施の形態１に係る有線装置識別子生成処理を示すフローチャート
【図１２】従来の物理アドレス割り当て方法を示した図
【符号の説明】
【００６８】
１００、１０１、１０２  無線伝送装置
１０４、１０６、１０７  伝送装置
２０１、３０１、４０１  無線伝送手段
２０２、３０２、４０２  媒体アクセス制御手段
２０３、３０３、４０３、５０２、６０２  データ処理手段
２０４、３０４、４０４、５０３、６０３  上位レイヤ処理手段
２０５  有線装置識別子生成手段
２０６、６０５  有線装置識別子記憶手段
２０７、３０５、５０１、６０１  有線伝送手段
４０５、５０４  映像出力手段
４０６、５０５  音声出力手段
６０４  映像音声再生手段
【図１】
2008153827.tif 000003
【図２】
2008153827.tif 000004
【図３】
2008153827.tif 000005
【図４】
2008153827.tif 000006
【図５】
2008153827.tif 000007
【図６】
2008153827.tif 000008
【図７】
2008153827.tif 000009
【図８】
2008153827.tif 000010
【図９】
2008153827.tif 000011
【図１０】
2008153827.tif 000012
【図１１】
2008153827.tif 000013
【図１２】
2008153827.tif 000014